(57)【要約】【課題】人の握り拳の感覚で身体の一部を適度な押圧力で滑らかに押圧することができ、また、強度も高く低コストで製造できるマッサージ具を提供する。【解決手段】マッサージ具１は、面板部２と、面板部２の表面部に成形された膨体部３とを有しており、膨体部３の上部には、身体の一部と接触する複数の圧接部３ｇ〜３ｊを有した凹凸部が連続して形成されている。各圧接部は高さを異にしており、頭部が曲面状に形成され、中間部に有する圧接部３ｈの高さを頂部として緩やかな山なみ状となるように形成されている．膨体部３は、全体が人の握り拳状の立体形状に形成されている。【選択図】図１
0003222435.tif 000002
【実用新案登録請求の範囲】
【請求項１】
身体の一部を押圧するためのマッサージ具であって、
面板部と、前記面板部の表面部に成形された膨体部とを有しており、
前記膨体部の上部には、身体の一部と接触する複数の圧接部を有した凹凸部が連続して形成されており、
前記圧接部は高さを異にしており、頭部が曲面状に形成されていることを特徴とするマッサージ具。
【請求項２】
前記凹凸部は、中間部に有する前記圧接部の高さを頂部として緩やかな山なみ状となるように形成されていることを特徴とする請求項１に記載のマッサージ具。
【請求項３】
前記膨体部は、全体が人の握り拳状の立体形状に形成されていることを特徴とする請求項１又は２に記載のマッサージ具。
【請求項４】
前記膨体部と前記面板部との間に傾斜状の補強部が形成されており、前記面板部と前記膨体部と前記補強部は一体成形されていることを特徴とする請求項１〜３のいずれかに記載のマッサージ具。
【請求項５】
前記面板部の裏面部に滑り止め材が設けられ、前記面板部の端部に、位置調節紐の通孔部が形成されていることを特徴とする請求項１〜４のいずれかに記載のマッサージ具。
【考案の詳細な説明】
【技術分野】
【０００１】
本考案は、身体の一部を押圧して凝りやハリなどを解消するためのマッサージ具に関するものである。
【背景技術】
【０００２】
肩凝りや疲労回復の解消を目的とした健康器具は従来から各種のものが開発されているが、電動式マッサージチェアやハンド式バイブレータなどは高価であり、設置場所や操作の煩雑性等の問題もある。そこで、背筋、腰、肩など、凝りやハリのある身体の一部（患部）を手軽に押圧できるようにした簡易式マッサージ具も各種提案され市販されている。
【０００３】
たとえば特許文献１には、直交するＸ軸とＹ軸により区分された領域に４つの大球面体を配置し、この大球面体上のＸ軸に沿って２つの小球面体を配置した指圧具が提案されており、特許文献２には、台座に球状大突起と球状小突起を前後に並べて設けた指圧具が提案されている。しかしながら、これらの指圧具は、身体患部に接触する部分が同じ高さであり、一定の力でしか押圧できないという問題がある。
【０００４】
また、特許文献３には、シート本体に多数の突起を設けたマッサージシートが提案されているが、身体の広範囲を押圧するものであり、前述と同様に高さが同じであるため押圧力が一定であるという問題がある。
【０００５】
また、引用文献４には、２本の支持台に高さの異なる多数の凸状体を設けた背筋押圧健康器具が提案されている。しかしながら、この背筋押圧健康器具は、背筋全体を押圧するものであり患部を集中的に押圧することができないという問題や、凸状体が接触する部位の押圧力が一定であり微妙な調整ができないという問題、さらには、構造が煩雑でコスト高になるなどの問題がある。
【０００６】
また、特許文献５には、ゴム製の大きな球体と小さな球体を内部に収納したクッションが提案されている。しかしながら、このクッションは、引用文献４と同じように、大小の球体によって背中全体を押圧するものであり患部を集中的に押圧することができないという問題や、大小の球体が接触する部位の押圧力が一定であり微妙な調整ができないという問題、さらには、構造が煩雑でコスト高になることなどの問題がある。
【先行技術文献】
【特許文献】
【０００７】
【特許文献１】実用新案登録第３２１２３７２号公報
【特許文献２】実用新案登録第３００９２３２号公報
【特許文献３】実用新案登録第３１６１５１８号公報
【特許文献４】特開平１１―４７２２８号公報
【特許文献５】実用新案登録第３１３８１４１号公報
【考案の概要】
【考案が解決しようとする課題】
【０００８】
本考案は、前述したような課題を解決するために提案されたものであり、人の握り拳の感覚で身体の一部を適度な押圧力で滑らかに押圧することができ、また、強度も高く低コストで製造できるマッサージ具を提供するものである。
【課題を解決するための手段】
【０００９】
前述した課題を解決するため、請求項１に係る考案によれば、身体の一部を押圧するためのマッサージ具であって、
面板部と、前記面板部の表面部に成形された膨体部とを有しており、
前記膨体部の上部には、身体の一部と接触する複数の圧接部を有した凹凸部が連続して形成されており、
前記圧接部は高さを異にしており、頭部が曲面状に形成されていることを特徴とする。
【００１０】
また、請求項２に係る考案によれば、前記凹凸部は、中間部に有する前記圧接部の高さを頂部として緩やかな山なみ状となるように形成されていることを特徴とする。
【００１１】
また、請求項３に係る考案によれば、前記膨体部は、全体が人の握り拳状の立体形状に形成されていることを特徴とする。
【００１２】
また、請求項４に係る考案によれば、前記膨体部と前記面板部との間に傾斜状の補強部が形成されており、前記面板部と前記膨体部と前記補強部は一体成形されていることを特徴とする。
【００１３】
また、請求項５に係る考案によれば、前記面板部の裏面部に滑り止め材が設けられ、前記面板部の端部に、位置調節紐の通孔部が形成されていることを特徴とする。
【考案の効果】
【００１４】
本考案の請求項１〜３に係る考案によれば、人の握り拳の感覚で、身体の一部（凝りハリなどの患部）を適度な押圧力で滑らかに押圧することができるため、最適なマッサージ効果が期待でき、取り扱いも簡便である。
また、請求項４に係る考案によれば、膨体部は補強部により補強されるため膨体部の破損を防止することができ、しかも、膨体部と面板部と補強部が一体成形されているため、強度が向上し、低コストで製造することができる。
【００１５】
また、請求項５によれば、面板部の裏面部に滑り止め材が固定されているため、マッサージ具を安定して使用することができ、さらには、通孔部に結び付けた位置調整紐を引っ張って、膨体部が身体の患部の最適な位置に接触するようにマッサージ具の位置を簡単に調節することもできる。
【図面の簡単な説明】
【００１６】
【図１】図１は本考案に係るマッサージ具の全体斜視図である。
【図２】図２は図１の平面方向から見た部分拡大説明である。
【図３】図３は図１の右側方向から見た部分拡大説明図である。
【図４】図４は図１の正面方向から見た部分拡大説明図である。
【図５】図５は本考案に係るマッサージ具の使用状態を示す説明図である。
【考案を実施するための形態】
【００１７】
以下、本考案に係るマッサージ具の実施形態の一例を添付図面に従って説明するが、本考案はこの実施形態に限定されるものではない。
【００１８】
図１に示すように、本考案に係るマッサージ具１は、面板部２と、その面板部２の表面部に形成された膨体部３とを有している。面板部２は直方体形の板体であり、その裏面部にはゴム材等の滑り止め材４が固定されている。また、面板部２の上端部の左右両側には、後述するように、位置調節紐７を結び付けるための通孔５，５ａが開口されている。
【００１９】
膨体部３は、全体が人の握り拳状の立体形状となっており、図２〜図４に示すように、手の甲部３ａの延長方向には傾斜状の補強部６が形成されている。また、反対側の親指部３ｆ、人差し指部３ｂ、中指部３ｃ、薬指部３ｄ及び小指部３ｅの延長方向にも、傾斜状の補強部６ａが形成されており、これら補強部６，６ａは面板部２と一体になっている（図２〜図４では補強部６，６ａを斜線で示している）。これにより、膨体部３の全体に強い押圧力が加わっても膨体部３の破損を防止することができる。なお、膨体部３の親指部３ｆは人差し指部３ｂの内側に折れ曲がった状態でも、人差し指３ｂの外側に折れ曲がった状態でもよい。
【００２０】
膨体部３の上部は、高さの異なる複数の凹凸部３ｋ（図２〜図４を参照）が幅方向（手幅方向）に連続して形成されており、凹凸部３ｋの凸部が身体の一部と接触する圧接部となっている。すなわち、人差し指部３ｂに対応して圧接部３ｇが形成され、中指部３ｃに対応して圧接部３ｈが形成され、薬指部３ｄに対して圧接部３ｉが形成され、小指部３ｅに対応して圧接部３ｊが形成されている。
【００２１】
これら圧接部３ｇ〜３ｊは、手を握ったときの指関節部のように、頭部が曲面状（コブ状）に形成されており、中指部３ｃの圧接部３ｈの高さを頂部として他の圧接部３ｇ，３ｉ，３ｊが緩やかな山なみ状の高さとなるように形成されている。具体的には、中指部３ｃに対応する圧接部３ｈが最も高く形成され、次に人差し指部３ｂに対応する圧接部３ｇ、薬指部３ｄに対応する圧接部３ｉ、小指部３ｅに対応する圧接部３ｊの順で各圧接部の高さが形成されている。なお、膨体部３は握り拳形状となっているため、図３に示すように、全体が人差し指部３ｂ側から小指部３ｅ側にかけて甲部３ａは緩やかに傾斜した形状となっている（図３では、紙面に向かって左側から右側に傾斜している）。
【００２２】
前記面板部２、膨体部３及び補強部６，６ａは、適度な硬度を有するプラスチック材により一体成形により製作されるが、膨体部３と傾斜部６,６ａは、強度が確保できれば、軽量化と材料費削減のために中空状にすることも可能である。
【００２３】
通孔部５,５ａには、位置調節紐７の両端部を結び付け、使用者の胸元あたりまで達する長さのループにする。これにより、位置調節紐７の左右を同時に引っ張ればマッサージ具１の位置を上方に移動することができる。また、左右一方の位置調節紐７を引っ張って、マッサージ具１の平面方向（Ｘ―Ｙ軸方向）の角度を調節し、膨体部３が的確に患部に接触するように調節することもできる。
【００２４】
次に、本考案のマッサージ具１の使用例を説明する。図５に示すように、マッサージ具１を膨体部３を上向きにして床面等に置き、膨体部３の凹凸部３ｋが使用者の身体の一部、たとえば、背筋が凝っている場合はその患部に接触するような状態で仰向けに寝る。このとき、患部に過剰な刺激を与えないためには、膨体部３をタオル等で覆うか厚着などをすればよい。
【００２５】
マッサージ具１の上に仰向けに寝ることにより、使用者の上半身の体重が膨体部３の凹凸部３ｋに加わり、この状態で、上半身を左右方向に揺らし又は上下方向に繰り返し動かすことにより、膨体部３の凹凸部３ｋの圧接部３ｇ〜３ｊによって、患部を含めた周辺部分が適度な押圧力で繰り返し押圧される。膨体部３は手の握り拳状の立体形状となっているため、あたかも人の握り拳による感覚で患部を含めた周辺部分が押圧され、最適なマッサージ効果が得られる。
【００２６】
すなわち、圧接部３ｇ〜３ｊの高さが異なっており、最も高い中指部３ｃの圧接部３ｈが接触する部位が強く押圧され、他の圧接部３ｇ，３ｉ〜３ｊとの接触部はそれぞれの高さに応じた強さで押圧される。この場合、圧接部３ｇ〜３Ｊの頭部は曲面状に形成されており、凹凸部３ｋの全体が緩やかな山なみ状に形成されているため、患部が過度に刺激されることはなく、滑らかに押圧される。そして、上半身を左右方向に揺らし又は上下方向に繰り返し動かすことにより、膨体部３の凹凸部３ｋの接触部位が移動し、患部を含めた周辺部分が適度な強弱で繰り返し押圧されることになる。
【００２７】
マッサージ部位を変えるときは、身体を移動してもよいが、前述したように、胸元あたりにある位置調節紐７を引っ張ってマッサージ具１の膨体部３が患部に的確に接触するように調節することもできる。なお、面板部２の裏面部に滑り止め材４が固着されているため、マッサージ中にマッサージ具１が移動することなく安定した状態でマッサージができる。
【００２８】
本考案のマッサージ具１は、椅子の背もたれ部や壁等に立て掛けるように置いて使用することもでき、デスクワークや家事等で凝った肩筋などを簡易にマッサージすることができる。また、脚のふくらはぎや腰部等の他の身体の部位のマッサージにも同じ方法で使用することができる。
【００２９】
前述した実施態様は本考案の一例であり、必要によりさまざまな変形が可能である。たとえば、膨体部２は手の握り拳の立体形状となっているが、同じ効能を得られるのであれば、デザイン性、需要者の嗜好性等を考慮して他の形状に変更することができる。この場合、凹凸部３ｋの圧接部３ｇ〜３ｊの全部の高さを変えてもよいし、一部の高さを変えてもよい。
【００３０】
また、面板部２の全体を適度な傾斜体にすると、たとえば椅子の背もたれ部や壁等に立て掛けて使用するときに便利である。また、膨体部３の表面部に、スポンジ、厚手の布地、ゴム材等のクッション材を固着しておけば、身体への圧接力による刺激を和らげることができる。さらに、通孔部５，５ａを面板部２の上下左右（４箇所）に設けると、マッサージ具１を上下逆向きに使用したり、横向きに使用したりする場合など、使用状態に応じて必要な通孔部５，５ａに位置調整紐７を結び付けてマッサージ具１の位置調整が可能となる。
【産業上の利用可能性】
【００３１】
本考案のマッサージ具１は、身体の一部のマッサージに利用できるほか、膨体部３や面板部２に装飾性を施すことにより、壁掛けなどの装飾品としても利用できる。
【符号の説明】
【００３２】
１    マッサージ具
２    面板部
３    膨体部
３ａ    甲部
３ｂ    人差し指部
３ｃ    中指部
３ｄ    薬指部
３ｅ    小指部
３ｆ    親指部
３ｇ〜３ｊ    圧接部
３ｋ    凹凸部
４    滑り止め材
５，５ａ    通孔部
６，６ａ    補強部
７    位置調節紐
【図１】
0003222435.tif 000003
【図２】
0003222435.tif 000004
【図３】
0003222435.tif 000005
【図４】
0003222435.tif 000006
【図５】
0003222435.tif 000007